(57)【要約】      （修正有）【課題】音楽コンテンツを電子音楽装置の仕向け先を考慮して提供することが可能となるウェブサイトから音楽コンテンツが提供される電子音楽装置及びウェブサイトの制御方法を実現する為のプログラムを提供する。【解決手段】該電子音楽装置のＲＯＭには、予め仕向け先情報を記憶しておき、コンテンツ販売サイトにアクセスする際に、該電子音楽装置は、コンテンツ販売サイトのＵＲＬと共に、その仕向け先情報をコンテンツ販売サイトに送信する。コンテンツ販売サイトは、対応付けられた音楽コンテンツを検索し、そのコンテンツリストを生成する。そして、コンテンツ販売サイトは、そのコンテンツリストを、送信する。よって、第１仕向け先電子音楽装置の表示装置には、第１仕向け先で購入が許可されている音楽コンテンツのみのリストが表示され、第２仕向け先電子音楽装置の表示装置には、第２仕向け先で購入が許可されているリストが表示される。【選択図】    図３
2005189506.tif 000002
【特許請求の範囲】
【請求項１】
当該電子音楽装置の仕向け先を示す仕向け先情報を記憶する記憶手段と、
音楽コンテンツを提供するウェブサイトに接続する接続手段と、
該接続手段によってウェブサイトに接続する際に、前記記憶手段に記憶された仕向け先情報を読み出して送信する送信手段と
を有することを特徴とする電子音楽装置。
【請求項２】
複数の音楽コンテンツと、該複数の音楽コンテンツのそれぞれに対応付けた仕向け先情報であって、当該音楽コンテンツを提供可能な仕向け先を示す仕向け先情報とを記憶する記憶手段と、
当該ウェブサイトに接続された電子音楽装置が送信した仕向け先情報を受信する受信手段と、
該受信手段によって受信した仕向け先情報の対応付けられた音楽コンテンツを前記記憶手段から検索し、該音楽コンテンツに関する情報を前記電子音楽装置に提供する提供手段と
を有することを特徴とするウェブサイト。
【請求項３】
音楽コンテンツを提供するウェブサイトに接続する接続手順と、
該接続手順によってウェブサイトに接続する際に、記憶手段に記憶された、当該電子音楽装置の仕向け先を示す仕向け先情報を読み出して送信する送信手順と
をコンピュータに実行させるためのプログラム。
【請求項４】
複数の音楽コンテンツと、該複数の音楽コンテンツのそれぞれに対応付けた仕向け先情報であって、当該音楽コンテンツを提供可能な仕向け先を示す仕向け先情報とを記憶手段に記憶させる記憶手順と、
当該ウェブサイトに接続された電子音楽装置が送信した仕向け先情報を受信する受信手順と、
該受信手順によって受信した仕向け先情報の対応付けられた音楽コンテンツを前記記憶手段から検索し、該音楽コンテンツに関する情報を前記電子音楽装置に提供する提供手順と
をコンピュータに実行させるためのプログラム。
【発明の詳細な説明】
【技術分野】
【０００１】
本発明は、音楽コンテンツが提供される電子音楽装置、音楽コンテンツを提供するウェブサイトおよび該電子音楽装置およびウェブサイトを制御する制御方法を実現するためのプログラムに関する。
【背景技術】
【０００２】
コンピュータ等の電子音楽装置に向けて音楽コンテンツを提供するようにしたウェブサイトは、従来から知られている（たとえば、特許文献１参照）。
【特許文献１】特開２００２−２０３１２５号公報
【発明の開示】
【発明が解決しようとする課題】
【０００３】
ところで、音楽コンテンツには著作権者がいて、著作権者から許諾を受けた音楽コンテンツのみがウェブサイトで提供されるが、１つの音楽コンテンツに対して、国や地域によって著作権者から許諾を受けたり受けなかったりする場合がある。たとえば、許諾のための条件面で、著作権者側とコンテンツ提供者側とが、一部地域のみで合意に達した場合が挙げられる。
【０００４】
しかし、上記従来のウェブサイトでは、電子音楽装置に対して提供する音楽コンテンツは、その電子音楽装置が販売された国や地域、すなわち仕向け先を考慮して提供されていなかった。
【０００５】
本発明は、この点に着目してなされたものであり、音楽コンテンツを電子音楽装置の仕向け先を考慮して提供することが可能となるウェブサイト、該ウェブサイトから音楽コンテンツが提供される電子音楽装置および該電子音楽装置およびウェブサイトを制御する制御方法を実現するためのプログラムを提供することを目的とする。
【課題を解決するための手段】
【０００６】
上記目的を達成するため、請求項１に記載の電子音楽装置は、当該電子音楽装置の仕向け先を示す仕向け先情報を記憶する記憶手段と、音楽コンテンツを提供するウェブサイトに接続する接続手段と、該接続手段によってウェブサイトに接続する際に、前記記憶手段に記憶された仕向け先情報を読み出して送信する送信手段とを有することを特徴とする。
【０００７】
上記目的を達成するため、請求項２に記載のウェブサイトは、複数の音楽コンテンツと、該複数の音楽コンテンツのそれぞれに対応付けた仕向け先情報であって、当該音楽コンテンツを提供可能な仕向け先を示す仕向け先情報とを記憶する記憶手段と、当該ウェブサイトに接続された電子音楽装置が送信した仕向け先情報を受信する受信手段と、該受信手段によって受信した仕向け先情報の対応付けられた音楽コンテンツを前記記憶手段から検索し、該音楽コンテンツに関する情報を前記電子音楽装置に提供する提供手段とを有することを特徴とする。
【０００８】
上記目的を達成するため、請求項３に記載のプログラムは、請求項１と同様の技術的思想によって実現できる。
【０００９】
上記目的を達成するため、請求項４に記載のプログラムは、請求項２と同様の技術的思想によって実現できる。
【発明の効果】
【００１０】
請求項１または３に記載の発明によれば、当該電子音楽装置内に仕向け先情報を記憶しておき、ウェブサイトに接続する際に、その記憶された仕向け先情報を読み出して送信するようにしたので、仕向け先に適した音楽コンテンツをウェブサイトから提供を受けることができる。
【００１１】
請求項２または４に記載の発明によれば、複数の音楽コンテンツと、該複数の音楽コンテンツのそれぞれに対応付けた仕向け先情報であって、当該音楽コンテンツを提供可能な仕向け先を示す仕向け先情報とを記憶手段に記憶しておき、当該ウェブサイトに接続された電子音楽装置から受信した仕向け先情報に基づいて、前記記憶手段から該電子音楽装置の仕向け先に応じた音楽コンテンツを検索して該電子音楽装置に提供するようにしたので、電子音楽装置の仕向け先に適した音楽コンテンツを提供することができる。
【発明を実施するための最良の形態】
【００１２】
以下、本発明の実施の形態を図面に基づいて詳細に説明する。
【００１３】
図１は、本発明の一実施の形態に係る電子音楽装置の概略構成を示すブロック図である。
【００１４】
同図に示すように、本実施の形態の電子音楽装置は、音高情報を入力するための鍵盤を含む演奏操作子１と、各種情報を入力するための複数のスイッチやキーボード、マウスを含む設定操作子２と、演奏操作子１の操作状態を検出する検出回路３と、設定操作子２の操作状態を検出する検出回路４と、装置全体の制御を司るＣＰＵ５と、該ＣＰＵ５が実行する制御プログラムや、各種テーブルデータ等を記憶するＲＯＭ６と、演奏データ、各種入力情報および演算結果等を一時的に記憶するＲＡＭ７と、タイマ割込み処理における割込み時間や各種時間を計時するタイマ８と、各種情報等を表示する、たとえば液晶ディスプレイ（ＬＣＤ）若しくはＣＲＴ（Cathode Ray Tube）ディスプレイおよび発光ダイオード（ＬＥＤ）等を備えた表示装置９と、前記制御プログラムを含む各種アプリケーションプログラムや各種楽曲データ、各種データ等を記憶する外部記憶装置１０と、外部からのＭＩＤＩ（Musical Instrument Digital Interface）信号を入力したり、ＭＩＤＩ信号を外部に出力したりするＭＩＤＩインターフェース（Ｉ／Ｆ）１１と、通信ネットワーク１０１を介して、たとえばサーバコンピュータ（以下、「サーバ」と略して言う）１０２とデータの送受信を行う通信インターフェース（Ｉ／Ｆ）１２と、演奏操作子１から入力された演奏データや予め設定された演奏データ等を楽音信号に変換する音源回路１３と、該音源回路１３からの楽音信号に各種効果を付与するための効果回路１４と、該効果回路１４からの楽音信号を音響に変換する、たとえば、ＤＡＣ（Digital-to-Analog Converter）やアンプ、スピーカ等のサウンドシステム１５とにより構成されている。
【００１５】
上記構成要素３〜１４は、バス１６を介して相互に接続され、ＣＰＵ５にはタイマ８が接続され、ＭＩＤＩＩ／Ｆ１１には他のＭＩＤＩ機器１００が接続され、通信Ｉ／Ｆ１２には通信ネットワーク１０１が接続され、音源回路１３には効果回路１４が接続され、効果回路１４にはサウンドシステム１５が接続されている。ここで、通信Ｉ／Ｆ１２および通信ネットワーク１０１は、有線方式のものに限らず、無線方式のものであってもよい。また、両方式のものを備えていてもよい。
【００１６】
外部記憶装置１０としては、たとえば、フレキシブルディスクドライブ（ＦＤＤ）、ハードディスクドライブ（ＨＤＤ）、ＣＤ−ＲＯＭドライブおよび光磁気ディスク（ＭＯ）ドライブ等を挙げることができる。そして、外部記憶装置１０には、前述のように、ＣＰＵ５が実行する制御プログラムも記憶でき、ＲＯＭ６に制御プログラムが記憶されていない場合には、この外部記憶装置１０に制御プログラムを記憶させておき、それをＲＡＭ７に読み込むことにより、ＲＯＭ６に制御プログラムを記憶している場合と同様の動作をＣＰＵ５にさせることができる。このようにすると、制御プログラムの追加やバージョンアップ等が容易に行える。
【００１７】
ＭＩＤＩＩ／Ｆ１１は、専用のものに限らず、ＲＳ−２３２ＣやＵＳＢ（ユニバーサル・シリアル・バス）、ＩＥＥＥ１３９４（アイトリプルイー１３９４）等の汎用のインターフェースより構成してもよい。この場合、ＭＩＤＩメッセージ以外のデータをも同時に送受信してもよい。
【００１８】
通信Ｉ／Ｆ１２は、上述のように、たとえばＬＡＮ（Local Area Network）やインターネット、電話回線等の通信ネットワーク１０１に接続されており、該通信ネットワーク１０１を介して、サーバ１０２に接続される。外部記憶装置１０に上記各プログラムや各種パラメータが記憶されていない場合には、通信Ｉ／Ｆ１２は、サーバ１０２からプログラムやパラメータをダウンロードするために用いられる。クライアントとなる電子音楽装置は、通信Ｉ／Ｆ１２および通信ネットワーク１０１を介してサーバ１０２へとプログラムやパラメータのダウンロードを要求するコマンドを送信する。サーバ１０２は、このコマンドを受け、要求されたプログラムやパラメータを、通信ネットワーク１０１を介して電子音楽装置へと配信し、電子音楽装置が通信Ｉ／Ｆ１２を介して、これらプログラムやパラメータを受信して外部記憶装置１０に蓄積することにより、ダウンロードが完了する。
【００１９】
サーバ１０２は、本実施の形態では、複数のウェブサイトが立ち上げられたウェブサーバであり、該複数のウェブサイトのうち、少なくとも１つは、音楽コンテンツを提供（販売）するコンテンツ販売サイトである。サーバ１０２は、本実施の形態の電子音楽装置と同様の構成要素によって構成すればよいが、演奏操作子１、検出回路３およびＭＩＤＩＩ／Ｆ１１は必須の要素ではないので、これらを省略してもよく、一般的には、サーバ用コンピュータが用いられる。
【００２０】
サーバ１０２の外部記憶装置（図示せず）には、コンテンツデータベースが構築されている。図２は、コンテンツデータベースのデータフォーマットの一例を示す図である。同図に示すように、コンテンツデータベースは、複数の音楽コンテンツと、該複数の音楽コンテンツのそれぞれに対応付けた仕向け先情報とによって構成されている。各音楽コンテンツ（“ＡＡＡＡ”，‥‥，“ＨＨＨＨ”）は、それぞれ名称およびデータ本体からなり、データの種類としては、ＭＩＤＩメッセージからなる演奏データ、楽譜データ、オーディオデータ、音楽映像データおよびこれらの複合データ等を挙げることができる。仕向け先情報としては、本実施の形態の電子音楽装置の仕向け先である、国や地域等を挙げることができる。
【００２１】
なお、コンテンツデータベースは、本実施の形態では、音楽コンテンツ毎に仕向け先情報を対応付けて構成するようにしたが、これに限らず、仕向け先毎に提供可能な音楽コンテンツを登録して構成するようにしてもよい。
【００２２】
なお、本実施の形態の電子音楽装置は、上述の構成から分かるように、電子楽器上に構築されている。
【００２３】
電子楽器の形態を取るようにした場合、その形態は鍵盤楽器に限らず、弦楽器タイプ、管楽器タイプ、打楽器タイプ等の形態でもよい。また、音源装置、電子音楽装置等を１つの電子楽器本体に内蔵したものに限らず、それぞれが別体の装置であり、ＭＩＤＩＩ／Ｆや各種ネットワーク等の通信手段を用いて各装置を接続するものであってもよい。
【００２４】
本発明を実施できる最小限要素のみから構成した電子楽器以外の専用装置上に構築してもよい。専用装置としては、たとえば、カラオケ装置や、ゲーム装置、携帯電話などの携帯型通信端末等を挙げることができる。携帯型通信端末を採用した場合、端末のみで所定の機能が完結している場合に限らず、機能の一部をサーバ側に持たせ、端末とサーバとからなるシステム全体として所定の機能を実現するようにしてもよい。あるいは、汎用的なパーソナルコンピュータ上に構築されてもよい。
【００２５】
以上のように構成された電子音楽装置が実行する制御処理を、まず図３を参照してその概要を説明し、次に図４を参照して詳細に説明する。
【００２６】
本実施の形態の電子音楽装置の前記ＲＯＭ６（あるいは前記外部記憶装置１０）には、予め仕向け先情報を記憶しておき、コンテンツ販売サイトにアクセスする際に、本実施の形態の電子音楽装置は、コンテンツ販売サイトのＵＲＬ（Uniform Resource Locators）とともに、その仕向け先情報をコンテンツ販売サイトに送信する。これに応じて、コンテンツ販売サイトは、コンテンツデータベースから、受信した仕向け先情報と一致する仕向け先情報が対応付けられた音楽コンテンツを検索し、そのコンテンツリストを生成する。そして、コンテンツ販売サイトは、そのコンテンツリストを、本実施の形態の電子音楽装置に送信する。
【００２７】
図３は、本実施の形態の電子音楽装置を第１仕向け先および第２仕向け先にそれぞれ製造したものの表示装置９上に表示された購入可能コンテンツリストの一例を示す図である。
【００２８】
同図に示すように、第１仕向け先電子音楽装置の表示装置９には、第１仕向け先で購入が許可されている音楽コンテンツ（の名称）のみがリストアップされて表示され、第２仕向け先電子音楽装置の表示装置９には、第２仕向け先で購入が許可されている音楽コンテンツ（の名称）のみがリストアップされて表示される。図示例では、双方の仕向け先で共通に購入できる音楽コンテンツも含まれている（“ＢＢＢＢ”と“ＣＣＣＣ”）。
【００２９】
次に、この制御処理を詳細に説明する。
【００３０】
図４は、本実施の形態の電子音楽装置およびコンテンツ販売サイトがそれぞれ実行する制御処理の手順を示すフローチャートである。
【００３１】
本実施の形態の電子音楽装置に対して、ユーザがコンテンツ販売サイトへのアクセスを指示すると、本実施の形態の電子音楽装置は、前記通信Ｉ／Ｆ１２を介して、通信ネットワーク１０１上に、当該コンテンツ販売サイトのＵＲＬと前記ＲＯＭ６に記憶されている仕向け先情報を送信する（ステップＳ１→Ｓ２）。
【００３２】
このＵＲＬによって指定されたコンテンツ販売サイトは、仕向け先情報を受信し、この仕向け先情報に対応する音楽コンテンツを前記コンテンツデータベースから検索する（ステップＳ１１）。そして、コンテンツ販売サイトは、検索された音楽コンテンツのリスト（名称の一覧）を含むページ情報を、本実施の形態の電子音楽装置に送信する（ステップＳ１２）。
【００３３】
本実施の形態の電子音楽装置は、このページ情報を受信すると、このページ情報を表示装置９上に表示する（ステップＳ３）。これにより、表示装置９上には、前記図３に示したように、仕向け先に応じた購入可能コンテンツリストが表示される。この購入可能コンテンツリストから、ユーザが、少なくとも１つ以上の音楽コンテンツを指定し、その購入をコンテンツ販売サイトに対して要求すると（ステップＳ４）、コンテンツ販売サイトは、要求された音楽コンテンツに対する課金処理を行った後、その音楽コンテンツを本実施の形態の電子音楽装置に送信する（ステップＳ１３）。
【００３４】
これに応じて、本実施の形態の電子音楽装置は、ユーザの要求した音楽コンテンツをコンテンツ販売サイトから受信する（ステップＳ５）。
【００３５】
このように、本実施の形態の電子音楽装置では、装置内に仕向け先情報を記憶しておき、本実施の形態の電子音楽装置からコンテンツ販売サイトにアクセスする際に、その仕向け先情報を送信するようにしたので、仕向け先に適した音楽コンテンツをコンテンツ販売サイトから提供を受けることができる。
【００３６】
また、本実施の形態のコンテンツ販売サイトでは、複数の音楽コンテンツと、該複数の音楽コンテンツのそれぞれに対応付けた仕向け先情報とを記憶しておき、電子音楽装置から受信した仕向け先情報に基づいて、該電子音楽装置の仕向け先に応じた音楽コンテンツを該電子音楽装置に提供するようにしたので、電子音楽装置の仕向け先に適した音楽コンテンツを提供することができる。
【００３７】
なお、本実施の形態では、仕向け先情報に応じた音楽コンテンツのみを電子音楽装置のユーザに対して提示するようにしたが、これに限らず、すべての仕向け先の音楽コンテンツを提示し、ユーザが音楽コンテンツを購入する際に、電子音楽装置からコンテンツ販売サイトに仕向け先情報を送信し、コンテンツ販売サイトでは、受信した仕向け先情報に基づいて、その音楽コンテンツが販売可能か否かを判定し、販売可能であったときにのみ、課金し、その音楽コンテンツを送信するようにしてもよい。
【００３８】
なお、電子音楽装置からコンテンツ販売サイトへと検索条件（音楽ジャンルや作曲者名、アーティスト名等）を送信し、コンテンツ販売サイトにおいては、この検索条件に合致しかつ仕向け先情報に対応する音楽コンテンツをデータベースから検索し、電子音楽装置へと提示するようにしてもよい。
【００３９】
また、コンテンツ販売サイトにおいて、仕向け先ごとにコンテンツデータベースを分けて構築し、電子音楽装置から受信した仕向け先情報に応じて、アクセスするコンテンツデータベースを使い分けるようにしてもよい。
【００４０】
なお、上述した実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００４１】
この場合、記憶媒体から読出されたプログラムコード自体が本発明の新規な機能を実現することになり、そのプログラムコードを記憶した記憶媒体は本発明を構成することになる。
【００４２】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００４３】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００４４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ５などが実際の処理の一部または全部を行い、その処理によって上述した実施の形態の機能が実現される場合も含まれることは言うまでもない。
【図面の簡単な説明】
【００４５】
【図１】本発明の一実施の形態に係る電子音楽装置の概略構成を示すブロック図である。
【図２】コンテンツデータベースのデータフォーマットの一例を示す図である。
【図３】本実施の形態の電子音楽装置を第１仕向け先および第２仕向け先にそれぞれ製造したものの表示装置上に表示された購入可能コンテンツリストの一例を示す図である。
【図４】本実施の形態の電子音楽装置およびコンテンツ販売サイトがそれぞれ実行する制御処理の手順を示すフローチャートである。
【符号の説明】
【００４６】
５…ＣＰＵ（接続手段、送信手段），６…ＲＯＭ（記憶手段），１０…外部記憶装置（記憶手段），１２…通信Ｉ／Ｆ（接続手段、送信手段）
【図１】
2005189506.tif 000003
【図２】
2005189506.tif 000004
【図３】
2005189506.tif 000005
【図４】
2005189506.tif 000006